【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
郵便物画像のパターン情報をこれに対応する宛先領域情報と関連させて予め登録する手段と、
読み取られた郵便物の画像情報を登録パターン情報と比較して一致度を検知する検知手段と、
この検知手段により検知された一致度が所定値を越えたときに前記予め登録されているパターン情報に対応する宛先領域情報を取得する手段と、
この取得された宛先領域情報を用いて郵便物の宛先を読み取る手段と、
を具備することを特徴とする郵便物宛先読取装置。
【請求項２】
前記予め登録される郵便物のパターン情報は所定の差出人から大量に送付される郵便物に関して予め登録されることを特徴とする請求項１に記載の郵便物宛先読取装置。
【請求項３】
連続する複数の郵便物の宛先情報を読み取って格納する手段と、
この格納された宛先情報から前記連続する複数の郵便物がいずれも同じ宛先に宛てられたものであることを決定する手段と、
その後供給される郵便物に対して前記格納された宛先情報に含まれる宛先領域情報を用いて宛先を読み取る手段と、
を具備することを特徴とする郵便物宛先読取装置。
【請求項４】
前記決定された宛先が差出人記載領域から得られたものであるか否かを検知する手段と、
差出人記載領域から得られたものであることが検知された場合に前記郵便物の画像から異なる領域の情報を新しい宛先領域候補として取得する手段と、
この新しく取得された領域の情報を用いて郵便物の宛先を読み取る手段と、
を具備することを特徴とする請求項３に記載の郵便物宛先読取装置。
【請求項５】
第１の郵便物の画像情報を読み取る手段と、
この読み取られた画像情報を記憶する手段と、
この画像情報から前記第１の郵便物の宛先情報を取得する手段と、
前記第１の郵便物に続く第２の郵便物の画像情報を読み取る手段と、
前記第１の郵便物の画像情報と第２の郵便物の画像情報との相関関係の大小を検知する検知手段と、
この検知手段で相関が所定値以上であると検知されたときに前記取得された第１の郵便物の宛先情報に基づいて前記第２の郵便物の宛先領域を決定する手段と、
を具備することを特徴とする郵便物宛先読取装置。
【請求項６】
所定の差出人から大量に送付される郵便物に関して予め登録された郵便物のパターン情報をこれに対応する宛先領域情報と関連させて記憶する手段と、
読み取られた郵便物の画像情報を登録パターン情報と比較して一致度を検知する検知手段と、
この検知手段により検知された一致度が所定値を越えたときに予め登録されているパターン情報に対応する宛先領域情報を取得する手段と、
前記一致度が所定値以下のときにこの郵便物と同様な画像パターンを持つ連続する複数の郵便物の宛先情報を読み取って格納する手段と、
この格納された宛先情報から前記連続する複数の郵便物がいずれも同じ宛先に宛てられたものであるか否かを決定する手段と、
前記複数の郵便物が同じ宛先に宛てられたものであることが決定されたあとに供給された郵便物の宛先記載領域を前記格納された宛先情報に基づいて決定する手段と、
この取得された宛先領域情報を用いて郵便物の宛先を読み取る手段と、
を具備することを特徴とする郵便物宛先読取装置。
【請求項７】
所定の差出人から大量に送付される郵便物に関して予め登録された郵便物のパターン情報をこれに対応する宛先領域情報と関連させて記憶する手段と、
読み取られた郵便物の画像情報を登録パターン情報と比較して一致度を検知する検知手段と、
この検知手段により検知された一致度が所定値を越えたときに予め登録されているパターン情報に対応する宛先情報を取得する手段と、
前記一致度が所定値以下のときにこの郵便物と同様な画像パターンを持つ連続する複数の郵便物の宛先情報を読み取って格納する手段と、
この格納された宛先情報から前記連続する複数の郵便物がいずれも同じ宛先に宛てられたものであるか否かを決定する手段と、
前記複数の郵便物が同じ宛先に宛てられたものであることが決定されたあとに供給された郵便物の宛先記載領域を前記格納された宛先情報に基づいて決定する手段と、
宛先を読み取るべき郵便物に関して前記一致度が所定値以下であり、且つ前記同じ宛先を持つ複数の郵便物とは異なる宛先を持っている場合に、第１の郵便物の宛先情報を読み取る手段と、
この第１の郵便物の画像情報とこれに続く第２の郵便物の画像情報との相関関係の大小を検知する検知手段と、
この検知手段で相関が所定値以上であると検知されたときに前記読み取られた第１の郵便物の宛先情報に基づいて前記第２の郵便物の宛先記載領域を決定する手段と、
この決定された宛先記載領域情報を用いて郵便物の宛先を読み取る手段と、
を具備することを特徴とする郵便物宛先読取装置。
【請求項８】
前記所定の差出人から送付され、予め登録された郵便物のパターン情報は、画像情報と、宛先記載領域の座標情報と、差出人記載領域の座標情報とを含むことを特徴とする請求項７に記載の郵便物宛先読取装置。
【請求項９】
前記第１、第２の郵便物の画像情報の相関関係の大小を検知する検知手段は、前記第１、第２の郵便物の画像情報からそれぞれの画像の特徴量を検出する手段と、この検出された特徴量の分布に関して２次元相関計数を求める手段と、この求められた２次元相関計数を統計的手法で決定された閾値と比較する手段と、前記閾値より大きい値のときに前記相関関係が大と判定する手段と、を含むことを特徴とする請求項７に記載の郵便物宛先読取装置。
【請求項１０】
郵便物画像のパターン情報をこれに対応する宛先領域情報と関連させて予め登録し、
読み取られた郵便物の画像情報を登録パターン情報と比較して一致度を検知し、
一致度が所定値を越えたときに前記予め登録されているパターン情報に対応する宛先領域情報を取得し、
この取得された宛先領域情報を用いて郵便物の宛先を読み取ることを特徴とする郵便物宛先読取方法。
【手続補正２】
【補正対象書類名】明細書
【補正対象項目名】０００６
【補正方法】変更
【補正の内容】
【０００６】
【課題を解決するための手段】
この発明の郵便物宛先読取装置は、郵便物画像のパターン情報をこれに対応する宛先領域情報と関連させて予め登録する手段と、読み取られた郵便物の画像情報を登録パターン情報と比較して一致度を検知する検知手段と、この検知手段により検知された一致度が所定値を越えたときに前記予め登録されているパターン情報に対応する宛先領域情報を取得する手段と、この取得された宛先領域情報を用いて郵便物の宛先を読み取る手段とから構成されている。
【手続補正３】
【補正対象書類名】明細書
【補正対象項目名】０００９
【補正方法】変更
【補正の内容】
【０００９】
さらに、この発明の郵便物宛先読取装置は、所定の差出人から大量に送付される郵便物に関して予め登録された郵便物のパターン情報をこれに対応する宛先領域情報と関連させて記憶する手段と、読み取られた郵便物の画像情報を登録パターン情報と比較して一致度を検知する検知手段と、この検知手段により検知された一致度が所定値を越えたときに予め登録されているパターン情報に対応する宛先領域情報を取得する手段と、前記一致度が所定値以下のときにこの郵便物と同様な画像パターンを持つ連続する複数の郵便物の宛先情報を読み取って格納する手段と、この格納された宛先情報から前記連続する複数の郵便物がいずれも同じ宛先に宛てられたものであるか否かを決定する手段と、前記複数の郵便物が同じ宛先に宛てられたものであることが決定されたあとに供給された郵便物の宛先記載領域を前記格納された宛先情報に基づいて決定する手段と、この取得された宛先領域情報を用いて郵便物の宛先を読み取る手段とから構成されている。
【手続補正４】
【補正対象書類名】明細書
【補正対象項目名】００１０
【補正方法】変更
【補正の内容】
【００１０】
さらに、この発明の郵便物宛先読取装置は、所定の差出人から大量に送付される郵便物に関して予め登録された郵便物のパターン情報をこれに対応する宛先領域情報と関連させて記憶する手段と、読み取られた郵便物の画像情報を登録パターン情報と比較して一致度を検知する検知手段と、この検知手段により検知された一致度が所定値を越えたときに予め登録されているパターン情報に対応する宛先情報を取得する手段と、前記一致度が所定値以下のときにこの郵便物と同様な画像パターンを持つ連続する複数の郵便物の宛先情報を読み取って格納する手段と、この格納された宛先情報から前記連続する複数の郵便物がいずれも同じ宛先に宛てられたものであるか否かを決定する手段と、前記複数の郵便物が同じ宛先に宛てられたものであることが決定されたあとに供給された郵便物の宛先記載領域を前記格納された宛先情報に基づいて決定する手段と、宛先を読み取るべき郵便物に関して前記一致度が所定値以下であり、且つ前記同じ宛先を持つ複数の郵便物とは異なる宛先を持っている場合に、第１の郵便物の宛先情報を読み取る手段と、この第１の郵便物の画像情報とこれに続く第２の郵便物の画像情報との相関関係の大小を検知する検知手段と、この検知手段で相関が所定値以上であると検知されたときに前記読み取られた第１の郵便物の宛先情報に基づいて前記第２の郵便物の宛先記載領域を決定する手段と、この決定された宛先記載領域情報を用いて郵便物の宛先を読み取る手段とから構成されている。